【手続補正書】
【提出日】平成28年1月26日(2016.1.26)
【手続補正１】
【補正対象書類名】明細書
【補正対象項目名】００１９
【補正方法】変更
【補正の内容】
【００１９】
図４は、モバイルバッテリ２０を給電装置１０上に置いた場合を表すものであり、（Ａ）は断面図を示し、（Ｂ）は、給電電極アレイ１２Ａ，１２Ｂと受電電極２１Ａ，２１Ｂとの相対的な位置関係を示す。図４に示したように、受電電極２１Ａの面積は、給電電極アレイ１２Ａの面積よりも小さく、同様に、受電電極２１Ｂの面積は、給電電極アレイ１２Ｂの面積よりも小さい。すなわち、給電電極アレイ１２Ａに係る給電電極１１のうち、受電電極２１Ａに対応する領域ＲＡに係る給電電極１１が、受電電極２１Ａと対向し、同様に、給電電極アレイ１２Ｂに係る給電電極１１のうち、受電電極２１Ｂに対応する領域ＲＢに係る給電電極１１が、受電電極２１Ｂと対向する。これにより、ユーザがモバイルバッテリ２０を給電装置１０上に置く際、受電電極２１Ａ，２１Ｂが給電電極アレイ１２Ａ，１２Ｂの中心からそれぞれややずれるように置いても、受電電極２１Ａ，２１Ｂが、給電電極アレイ１２Ａ，１２Ｂに係る給電電極１１と対向しやすくすることができる。このように、給電システム１では、ユーザが、受電電極２１Ａ，２１Ｂと給電電極アレイ１２Ａ，１２Ｂとの位置合わせを気にする必要がないため、ユーザの利便性を高めることができるようになっている。
【手続補正２】
【補正対象書類名】明細書
【補正対象項目名】００２０
【補正方法】変更
【補正の内容】
【００２０】
このような構成において、図４に示したように、ユーザが、受電電極２１Ａ，２１Ｂが給電電極アレイ１２Ａ，１２Ｂの中心からそれぞれややずれるようにモバイルバッテリ２０を置くと、この例では、給電電極アレイ１２Ｂに係る一部の給電電極１１（部分Ｐ１）がモバイルバッテリ２０の配置領域からはみ出してしまう。よって、給電装置１０が、仮に、給電電極アレイ１２Ｂに係る全ての給電電極１１を用いて、モバイルバッテリ２０に対して電力を供給する場合には、ユーザが誤ってこの部分Ｐ１付近に触れると、感電するおそれがある。そこで、給電時において、給電装置１０は、モバイルバッテリ２０に対して、給電電極アレイ１２Ａ，１２Ｂに係る給電電極１１のうち、主に、受電電極２１Ａ，２１Ｂと対向する給電電極１１を用いて電力を供給するようになっている。すなわち、給電装置１０は、部分Ｐ１に係る給電電極１１を用いずに、モバイルバッテリ２０に電力を供給する。これにより、給電システム１では、給電する際の安全性を高めることができるようになっている。
【手続補正３】
【補正対象書類名】明細書
【補正対象項目名】００２６
【補正方法】変更
【補正の内容】
【００２６】
スイッチ部１８Ａは、スイッチ制御信号ＳＳＷＡに基づいて、給電電極アレイ１２Ａに係る給電電極１１のうち、給電に用いる１または複数の給電電極１１を選択し、この選択した給電電極１１と給電部１７の一端とを接続するものである。スイッチ部１８Ｂは、スイッチ制御信号ＳＳＷＢに基づいて、給電電極アレイ１２Ｂに係る給電電極１１のうち、給電に用いる１または複数の給電電極１１を選択し、この選択した給電電極１１と給電部１７の他端とを接続するものである。
【手続補正４】
【補正対象書類名】明細書
【補正対象項目名】００３１
【補正方法】変更
【補正の内容】
【００３１】
（全体動作概要）
まず、図５，６を参照して、給電システム１の全体動作概要を説明する。給電装置１０において、セレクタ１６は、セレクタ制御信号ＳＳＥＬに基づいて、８つのアンテナ１４のうちの１つを順次選択し、選択したアンテナ１４と無線通信部１５とを接続する。無線通信部１５は、選択されたアンテナ１４を用いて、アクセスポイント１００との間で無線通信を行い、電波強度ＲＰおよび伝達関数Ｈを取得する。給電部１７は、両端間に交流の電力信号ＳＰを生成する。スイッチ部１８Ａは、スイッチ制御信号ＳＳＷＡに基づいて、給電電極アレイ１２Ａにおける給電電極１１のうち、給電に用いる１または複数の給電電極１１を選択し、この選択した給電電極１１と給電部１７の一端とを接続する。スイッチ部１８Ｂは、スイッチ制御信号ＳＳＷＢに基づいて、給電電極アレイ１２Ｂにおける給電電極１１のうち、給電に用いる１または複数の給電電極１１を選択し、この選択した給電電極１１と給電部１７の他端とを接続する。制御部１９は、セレクタ制御信号ＳＳＥＬを介してセレクタ１６を制御して、無線通信部１５から電波強度ＲＰおよび伝達関数Ｈを取得し、この電波強度ＲＰおよび伝達関数Ｈに基づいて、スイッチ制御信号ＳＳＷＡ，ＳＳＷＢを介してスイッチ部１８Ａ，１８Ｂを制御する。これにより、給電装置１０は、給電電極アレイ１２Ａ，１２Ｂにおける選択された給電電極１１を用いて、モバイルバッテリ２０に対して給電する。
【手続補正５】
【補正対象書類名】明細書
【補正対象項目名】００３５
【補正方法】変更
【補正の内容】
【００３５】
次に、無線通信部１５は、ステップＳ１で選択されたアンテナ１４を用いて、アクセスポイント１００と無線通信を行う（ステップＳ２）。
【手続補正６】
【補正対象書類名】明細書
【補正対象項目名】００４０
【補正方法】変更
【補正の内容】
【００４０】
この例では、モバイルバッテリ２０を、給電装置１０上の、図８における左下方向にややずらして配置している。すなわち、受電電極２１Ａに対応する領域ＲＡは、給電電極アレイ１２Ａの領域内の左下に位置し、同様に、受電電極２１Ｂに対応する領域ＲＢは、給電電極アレイ１２Ｂの領域内の左下に位置している。そして、この例では、無線通信部１５は、アンテナ１４１〜１４４を用いて、図８の左上の方向から来た電波Ｗを受信する。この場合、アンテナ１４３，１４４において受信した電波Ｗの電波強度ＲＰは、給電装置１０の上に置かれているモバイルバッテリ２０により電波の一部が遮断されるため、アンテナ１４１，１４２において受信した電波Ｗの電波強度ＲＰよりも低くなる。さらに、この電波の遮断によって、電波の伝搬特性が変化するため、伝達関数Ｈの各行列成分の振幅や位相もまた、モバイルバッテリ２０が置かれた位置に応じて変化する。
【手続補正７】
【補正対象書類名】明細書
【補正対象項目名】００５０
【補正方法】変更
【補正の内容】
【００５０】
このように、給電システム１では、給電電極アレイ１２Ａ，１２Ｂを受電電極２１Ａ，２１Ｂよりも大きくしている。これにより、ユーザがモバイルバッテリ２０を給電装置１０上に置く際、受電電極２１Ａ，２１Ｂが給電電極アレイ１２Ａ，１２Ｂの中心からそれぞれややずれるように置いても、受電電極２１Ａ，２１Ｂが、給電電極アレイ１２Ａ，１２Ｂに係る給電電極１１と対向しやすくすることができ、ユーザの利便性と高めることができる。
【手続補正８】
【補正対象書類名】明細書
【補正対象項目名】００５１
【補正方法】変更
【補正の内容】
【００５１】
また、給電システム１では、無線通信部１５が、アンテナ１４を用いてアクセスポイント１００と無線通信を行って電波強度ＲＰおよび伝達関数Ｈを取得し、制御部１９が、その電波強度ＲＰおよび伝達関数Ｈに基づいて、給電に用いる給電電極１１を決定するようにしている。これにより、例えば、図４に示したように、モバイルバッテリ２０が、受電電極２１Ａ，２１Ｂが給電電極アレイ１２Ａ，１２Ｂの中心からそれぞれややずれるように置かれた場合でも、給電する際の安全性を高くすることができる。すなわち、このような場合には、制御部１９は、給電電極アレイ１２Ａ，１２Ｂに係る給電電極１１のうち、主に受電電極２１Ａ，２１Ｂと対向する給電電極１１を給電に使用し、受電電極２１Ａ，２１Ｂと対向しない給電電極１１（図４の部分Ｐ１付近）を給電に使用しないようにすることができる。よって、給電システム１では、ユーザが誤ってこの部分Ｐ１付近に触れても、ユーザが感電するおそれを低減することができ、給電する際の安全性を高くすることができる。
【手続補正９】
【補正対象書類名】明細書
【補正対象項目名】００８０
【補正方法】変更
【補正の内容】
【００８０】
無線通信部４５Ａ，４５Ｂは、セレクタ４６により選択された互いに異なるアンテナ１４をそれぞれ用いて、相互間で無線通信を行うことにより、電波強度ＲＰおよび伝達関数Ｈを取得するものである。そして、無線通信部４５Ａ，４５Ｂは、取得した電波強度ＲＰおよび伝達関数Ｈを、制御部４９に供給するようになっている。
【手続補正１０】
【補正対象書類名】明細書
【補正対象項目名】００９０
【補正方法】変更
【補正の内容】
【００９０】
図２０は、給電装置５０の一構成例を表すものである。給電装置５０は、セレクタ５６と、制御部５９とを有している。
【手続補正１１】
【補正対象書類名】明細書
【補正対象項目名】０１３９
【補正方法】変更
【補正の内容】
【０１３９】
図３０は、本実施の形態の給電システム７の一構成例を表すものである。給電システム７は、給電装置９０と、モバイルバッテリ１２０とを備えている。給電装置９０は、モバイルバッテリ１２０に対して本給電を行う前に、給電電極アレイ１２Ａ，１２Ｂに係る給電電極１１を順次選択してプレ給電を行うものである。その際、給電装置９０では、変調部９３（後述）が、電力信号ＳＰを、その選択された給電電極１１を識別するためのアドレスコードＡＤＲで変調して変調電力信号ＳＰ２を生成するようになっている。モバイルバッテリ１２０では、プレ給電による電力を受け取る際、復調部１２３（後述）が電力信号ＳＰを復調してアドレスコードＡＤＲを取得し、このアドレスコードＡＤＲを給電装置９０に供給する。給電装置９０は、このアドレスコードＡＤＲに基づいて、本給電に用いる給電電極１１を決定するようになっている。
【手続補正１２】
【補正対象書類名】明細書
【補正対象項目名】０１４３
【補正方法】変更
【補正の内容】
【０１４３】
制御部９９は、スイッチ制御信号ＳＳＷＡ，ＳＳＷＢを介してスイッチ部１８Ａ，１８Ｂを制御して、給電電極アレイ１２Ａに係る給電電極１１のうちの１つを給電部１７の一端に順次接続させるとともに、給電電極アレイ１２Ｂに係る給電電極１１のうちの１つを給電部１７の他端に順次接続させ、モバイルバッテリ２０に対してプレ給電を行う。その際、制御部９９は、スイッチ制御信号ＳＳＷＡ，ＳＳＷＢを介して変調部９３を制御し、交流の電力信号を、スイッチ部１８Ａ，１８Ｂにより選択された給電電極１１に係るアドレスコードＡＤＲにより変調させる。また、制御部９９は、通信部９１から供給されたアドレスコードＡＤＲに基づいて、給電電極アレイ１２Ａ，１２Ｂに係る給電電極１１のうちの本給電に用いる給電電極１１を決定するようになっている。
【手続補正１３】
【補正対象書類名】明細書
【補正対象項目名】０１６１
【補正方法】変更
【補正の内容】
【０１６１】
例えば、上記の各実施の形態等では、２つの給電電極アレイ１２Ａ，１２Ｂを設けたが、これに限定されるものではなく、これに代えて、例えば、図３５に示したように、１つの給電電極アレイ３１２を設けるようにしてもよい。この場合でも、上記実施の形態等と同様の方法により、例えば、給電電極アレイ３１２に係る給電電極１１のうち、モバイルバッテリ２０の受電電極２１Ａ，２１Ｂに対向する給電電極１１のみを用いて、モバイルバッテリ２０に給電することができる。